(57)【要約】      （修正有）【課題】数が多いと時間のかかる紙の手折り作業を、簡単迅速に行うことのできる三つ折り型手動紙折り器を提供する。【解決手段】台板Ａの１／３、即ち片方の用紙１と同一の大きさの形板で、外三つ折りにおいては、用紙１の一方を型板２に従って折り、一旦紙を裏返して補助板を当てて他方の紙１を型板２に当てて外側に折り返すに際して、用紙が１０枚、２０枚と多くある場合に生じる紙のずれを抑えるために、空いている側の台板１の上に補助板を置くことによって、外三つ折りの形が正しく形成される。【選択図】図１
0003144654.tif 000002
【実用新案登録請求の範囲】
【請求項１】
定形用紙Ｐに相当する大きさの台板Ａの長辺の一辺に保持枠（４）を設けて、この辺を頂部Ｂとし、他の３辺に各辺の長さに対して１／３の空隙を有する操作空間（７）を辺の中央に設け、台板Ａの周囲に縁板（３）を立設して用紙Ｐ収納箱とすること、
前記頂部Ｂの保持枠（４）の中央に、辺の長さに対して１／３の長さに相当する切欠部（８）を設けて左右２本の止金（５）を立設すること、
前記頂部Ｂの切欠部（８）から止金（５）を亘って対向する長辺の操作空間（７）を越える長さの型板（２）を設け、該型板（２）に長孔（６）を設けて止金（５）に挿入遊着してなる三つ折り形手動紙折り器。
【請求項２】
外三つ折り専用補助板（９）を用いる請求項１に記載の三つ折り形手動紙折り器。
【考案の詳細な説明】
【技術分野】
【０００１】  本考案は、ダイレクトメールや案内状を封筒に入れるために書面を三つ折りにする手動の紙折り器に関する。
【背景技術】
【０００２】  近頃公用紙はＡ４判の用紙に決められている関係で、手紙や印刷物の用紙もＡ４判の紙が多く、封筒に入れる場合には三つ折りとして封筒に入れることが多い。個人の手紙や挨拶状のように数の少い場合でも折り目を合せながら封筒に入れるときは気をつかうのが普通である。デパート等のダイレクトメールのような場合はともかくとして、個人商店や小企業の場合などで盆暮に送る案内状などで数百通に及ぶときには、この紙折りの手間も時間もかかり、また少しおろそかにすると紙の折り目が正しく合わず、先方の印象を悪くするという問題があった。
【特許文献１】  特開平１０−１２９９２５号公報
【考案の開示】
【考案が解決しようとする課題】
【０００３】  本考案は、単純であり単調でありながら数が多いと時間のかかる紙の手折り作業を、簡単迅速に行うことのできる紙の三つ折り器の開発を考え、試作研究を重ねた結果本考案を完成させたものである。
【課題を解決するための手段】
【０００４】  出願人はこの点に鑑み鋭意研究を続けた結果本考案に到達したものであって、本考案は定形紙に合せた台板Ａを箱状に成形し、この台板Ａ内に用紙Ｐを収納する。そして最上の紙（１）から後述する型板（２）に従って一枚を折り出して正確な「内三つ折り形」に折られた用紙を封筒（図示していない）に納めて完成する。【０００５】  本考案の手動紙折り器の特徴は、型板（２）折り芯として使用することであり、この型板（２）は、図示されているように頂部Ｂの保持枠（４）の中央に設けた薄形で基部に２個の長孔（６）を設けて止金（５）に挿入されて遊着されている。このため図１に示されているように、台板Ａ内の用紙Ｐの最上の紙（１）をめくり、型板（２）をはさんで紙を左右から折り曲げて内折りの三つ折り紙（図示していない）を形成し、その後型板（２）を軽く持ち上げて紙を引抜く。そしてこの操作を繰返し行うこととする。【０００６】  この型板（２）は紙を折る度に上下に動かして使用するため薄形で恒久性が必要であって硬質の合成樹脂が好ましく薄形であるため折られる紙は正しく折り目の付いた用紙となり、受取る人も好印象を受ける。
【考案の効果】
【０００７】  本考案の紙折り器は、構造が簡単で、形式が整っていて使用も簡単で、誰にでも折り作用ができるため商店用として、或は家庭用としても一台は必要と思われる。折られた紙は正確な内三つ折りとなって封筒にも入れ易く、受け取る方も気持ちが良い。このため本考案の紙折り器の使用上の作用効果はきわめて顕著である。
【考案を実施するための最良の形態】
【０００８】  添付図面により本考案を実施するための最良の形態を説明すると、図１は本考案の手動紙折り器の全体を表わす斜視図であって、台板Ａの大きさは、使用する紙の大きさによって定めるもので、現在はＡ４板の用紙が公用紙の紙型として定められているため例えばこの用紙の大きさとして成形する。【０００９】  図２は台板Ａの平面図で、台板Ａの長辺の１辺を頂部Ｂとしてこれに保持板（４）を設ける。そして他の３辺に各辺の長さに対して１／３の空隔を設けてこれを操作空間（７）として各辺の中央に設けると共に、台板Ａの周囲に縁板（３）を立設して全体を箱形としてこの中にＡ４版の用紙Ｐを収納する。【００１０】  頂部Ｂに設けた保持板（４）には、中央に辺の長さの１／３に相当する切欠部（８）を設け、この切欠部（８）に左右２本の止金（５）を立設する。図示の長さを示すｂは、３つの間隔が等間隔であることを示す。【００１１】  図３は、頂部Ｂ及び保持板（４）の拡大詳細図である。頂部Ｂに設けた切欠部（８）には、本考案の紙折りに重要な役割に当る型板（２）を設ける。この型板（２）は紙折りを形成する芯板であり、上部切欠部（８）から左右の止金（５）を通して対向する長辺の操作空間（７）を越して外方に突出している長さを有している。この突出部（２１）が型板（２）を操作する際の手持ち部分となる。この型板（２）の基部には左右２個の長辺（６）が設けてあり、これに止金（５）を挿入することによって型板（２）は遊着され上下に自由に動く。【００１２】  図４は用紙「外三つ折り」を成形する際の補助板（９）の斜視図で、図１又は図２で示す台板Ａの１／３、即ち図１で示す片方の用紙（１）と同一の大きさの形板で、外三つ折りに当っては、一方の用紙（１）型板（２）に従って折り、紙を裏返して補助板（９）を当てて他方の紙（１）を折り返すことによって、外三つ折りの形が形成される。なお図１中の符号（３０）は台板Ａに設けた足で作業中の器体のずれを防止する。
【産業上の利用可能性】
【００１３】  上述のように本考案の手動紙折り器は、置場に困らず小形軽量で、卓上などで手軽に使用できるため、家庭用や一般店舗等での使用に適し、手動のため維持費がかからず、硬質紙から模様紙などでも型板を使用するため、折る際に変形なくきれいに折ることができて受取る側に好印象が与えられることで本考案の利用度は高い。
【図面の簡単な説明】
【００１４】
【図１】  本考案の全体を表わす斜視図
【図２】  台板Ａの平面図
【図３】  頂部Ｂの拡大図
【図４】  外三つ折りに使用する補助板
【符号の説明】
【００１５】          （１）…最上面の用紙
（２）…型板
（３）…縁板
（４）…保持枠
（５）…止金
（６）…長孔
（７）…操作空間
（８）…切欠部
（９）…補助板
Ａ…台板
Ｂ…頂部
Ｐ…用紙
【図１】
0003144654.tif 000003
【図２】
0003144654.tif 000004
【図３】
0003144654.tif 000005
【図４】
0003144654.tif 000006
【手続補正書】
【提出日】平成20年3月14日(2008.3.14)
【手続補正１】
【補正対象書類名】実用新案登録請求の範囲
【補正対象項目名】請求項２
【補正方法】変更
【補正の内容】
【請求項２】
外三つ折りに際して紙Ｐのずれを抑えるために、一方の台板（１）側に配置する請求項１に記載の三つ折り形手動紙折り器。
【手続補正２】
【補正対象書類名】明細書
【補正対象項目名】００１２
【補正方法】変更
【補正の内容】
【００１２】  図４は用紙「外三つ折り」を成形する際の補助板（９）の斜視図で、図１又は図２で示す台板Ａの１／３、即ち図１で示す片方の用紙（１）と同一の大きさの形板で、外三つ折りに当っては、用紙（１）の一方を型板（２）に従って折り、一旦紙を裏返して補助板（９）を当てて他方の紙（１）を型板（２）に当てて外側に折り返すに際して、用紙が１０枚、２０枚と多くある場合に生じる紙のずれを抑えるために、空いている側の台板（１）の上に補助板（９）を置くことによって、外三つ折りの形が正しく形成される。なお図中の符号（３０）は台板Ａに設けた足で作業中の器体のずれを防止する。
【手続補正書】
【提出日】平成20年6月27日(2008.6.27)
【手続補正１】
【補正対象書類名】実用新案登録請求の範囲
【補正対象項目名】請求項２
【補正方法】変更
【補正の内容】
【請求項２】
外三つ折りに際して、紙Ｐのずれを抑えるために、台板（１）上に配置して使用する補助板（９）を組合せた請求項１に記載の三つ折り形手動紙折り器。